(57)【要約】【課題】鉄道車両用の腰掛等において、脚台およびこれに旋回可能に支持される台枠の部品点数や組み立て工数を削減し、軽量化し、部品の共通化を図る。【解決手段】台枠５０を断面多角形の１本の横梁５１を有するモノスパン構造とし、座部５２や肘掛、背もたれなどのシートを構成する各種部品を横梁５１の周壁面に面接触させて取り付ける。また、脚台１０を横梁５１と同じ押出型材から製作した横梁１２を用いたモノスパン構造とし、部品の共通化を図る。軸１３や軸受け５９は横梁５１、１２にその周壁の平面部分を利用して取り付ける。【選択図】図１
2005329103.tif 000002
【特許請求の範囲】
【請求項１】
脚部に支持された断面多角形の１本の横梁を有し、
シートを構成する部品を前記横梁の周壁面に面接触させて取り付けた
ことを特徴とする腰掛。
【請求項２】
断面多角形の１本の横梁をその周壁面の１つが床面と平行な上面部をなすように床面から脚柱で支持し、前記横梁の上面部に軸と軸受けのいずれか一方を設けた脚部と、   
断面多角形の１本の横梁の周壁面の１つに軸と軸受けのうち前記上面部に設けたものと対をなすものを設け、これらの軸と軸受けとを嵌め合わせて前記脚部に旋回可能に支持されるとともに、シートを構成する部品が前記横梁の周壁面に面接触させて取り付けられたシート本体と
を有する
ことを特徴とする腰掛。
【請求項３】
前記脚部の横梁と前記シート本体の横梁とを同一部材で構成した
ことを特徴とする請求項２に記載の腰掛。
【請求項４】
座部の枠を横梁に直接取り付けた
ことを特徴とする請求項１、２または３に記載の腰掛。
【請求項５】
１つの部品を前記横梁の周壁面の２つの面に面接触させて取り付けた
ことを特徴とする請求項１、２、３または４に記載の腰掛。
【発明の詳細な説明】
【技術分野】
【０００１】
本発明は、鉄道車両などに設置される腰掛に関する。
【背景技術】
【０００２】
従来、鉄道車両用の腰掛は、シートの向きを前後に１８０度変えることのできるものにあっては、車両の床面に設置される脚台と、この脚台に旋回可能に支持されるシート本体とで構成される。図１１は、シート本体のフレームをなす台枠１００と脚台１２０とを分離した状態の一例を示す斜視図であり、図１２は脚台１２０の上面を、図１３は脚台１２０の正面を、図１４は台枠１００の正面を、図１５は台枠１００の上面をそれぞれ示している。
【０００３】
図１２および図１３に示すように従来の脚台１２０は、複数の角チューブ１２１を溶接して四角い枠状の横梁材１２２を作り、これに４本の脚１２３を溶接にて接合した構造をなしている。横梁材１２２の中央には、前後の角チューブ１２１を繋ぐ縦桟１２４が掛け渡してあり、台枠１００を旋回可能に軸支するための軸受け１２５がこの脚１２３に形成されている。
【０００４】
図１４および図１５に示すように、台枠１００は、横に延びる丸チューブ１０１を前後に配置し、これらに複数の連結フレーム１０２を掛け渡して連結するとともに、丸チューブ１０１の左右両端に側枠１０３を取り付けた枠状の構造をなしている。台枠１００は３人掛けのベンチシートであり、各連結フレーム１０２に席と席の間の肘掛が取り付けられる。また、左右両端には図示省略の肘掛が取り付けられる。
【０００５】
図示省略の背もたれは、左右両端の肘掛と連結フレーム１０２の後端から立ち上がる立設腕１０２ａとの間、および立設腕１０２ａ同士の間にそれぞれ支持される。また、座パン１０４は、前後の丸チューブ１０１の上に被せた後、リベットで丸チューブ１０１に締結されている。座のクッションは座パン１０４の上に載置して取り付けられる。
【０００６】
中央の連結フレーム１０５には、下方に向けて延びる回転軸１０６が設けてある。この回転軸１０６を脚台１２０の軸受け１２５に嵌入することで台枠１００が脚台１２０によって旋回可能に支持される。
【０００７】
このように従来の鉄道車両用の腰掛は、四角い枠を基本構造として台枠１００や脚台１２０を構成しているので、溶接箇所や部品点数が多くて組み立て工数が嵩むとともに、重量も重くなっていた。
【０００８】
部品点数の低減や軽量化等を図るために、台枠をモノスパン構造とした車両用シートが提案されている（たとえば、特許文献１参照。）。このシートは、断面円形の横梁に、この横梁と直行するようにシートの前後方向に延びる複数のフレームを取り付け、これらのフレーム同士の前端部間にワイヤを掛け渡し、座パンの前端をこのワイヤに引っ掛けかつ後端を横梁の下側に固着させて座パンを取り付けた構造をなしている。
【０００９】
【特許文献１】特開平８−１５４７７４号公報
【発明の開示】
【発明が解決しようとする課題】
【００１０】
上記車両用シートのモノスパン構造では、断面円形の横梁を使用しているので、この横梁が持つ曲面状の周壁面に座パン等の部品を安定に取り付けることができない。このため、座パンを横梁とワイヤの２箇所で支えなければならず、さらにこのワイヤを掛け渡すために前後に延びる複数のフレームが必要になり、軽量化や部品点数の削減・組み立て工数の低減効果を充分に得ることができない。
【００１１】
また、シート本体と脚台とを別々の部品で構成していたので、部品や部品の管理費用が嵩むという問題があった。
【００１２】
本発明は、上記の問題を解決しようとする課題にするものであり、部品点数や組み立て工数の削減および軽量化をさらに進めること、および台枠と脚台との部品の共通化を図ることのできる腰掛を提供することを目的としている。
【課題を解決するための手段】
【００１３】
請求項１に係る発明は、脚部（１０）に支持された断面多角形の１本の横梁（５１）を有し、
シートを構成する部品を前記横梁（５１）の周壁面に面接触させて取り付けた
ことを特徴とする腰掛である。
【００１４】
上記発明によれば、断面多角形の１本の横梁（５１）に、シートを構成する各種部品が横梁（５１）の周壁面と面接触させて取り付けられる。横梁（５１）は断面多角形なので、その周壁は平面の組み合わせで構成される。その結果、製造容易な平面状の取付面を持つ各種部品が安定に横梁（５１）に固定される。各部品を安定に横梁（５１）に取付可能なため、座部を横梁（５１）だけで支持可能となり、座パンの前端を支えるためのワイヤやこのワイヤを支えるための前後に延びるフレーム等が不要になり、部品点数や組み立て工数が削減される。
【００１５】
横梁（５１）は、断面が多角形であればよく、三角形、四角形、六角形など角の数は問わない。また正多角形でなくてもよい。ねじり剛性を重視する場合は角数を多くすればよい。横梁（５１）は、軽量化のためにも中空構造がよい。また、押出型材を用いるとよい。
【００１６】
請求項２に係る発明は、断面多角形の１本の横梁（１２）をその周壁面の１つが床面と平行な上面部をなすように床面から脚柱（１１）で支持し、前記横梁（１２）の上面部に軸（１３）と軸受け（５９）のいずれか一方を設けた脚部（１０）と、    
断面多角形の１本の横梁（５１）の周壁面の１つに軸（１３）と軸受け（５９）のうち前記上面部に設けたものと対をなすものを設け、これらの軸（１３）と軸受け（５９）とを嵌め合わせて前記脚部（１０）に旋回可能に支持されるとともに、シートを構成する部品が前記横梁（５１）の周壁面に面接触させて取り付けられたシート本体（５０）と
を有する
ことを特徴とする腰掛である。
【００１７】
上記発明によれば、脚部（１０）とこの脚部（１０）によって旋回可能に支持されるシート本体（５０）の双方が断面多角形の１本の横梁（５１、１２）をメインフレームとするモノスパン構造で構成される。横梁（５１、１２）が断面多角形で平面状の周壁面を有するので、軸（１３）や軸受け（５９）を横梁（５１、１２）に直接取り付けることが可能になる。また、軸受け（５９）に軸（１３）を嵌入すると、脚台の横梁（１２）とシート本体（５０）の横梁（５１）とが面同士で向かい合うので、シート本体（５０）を回転させて脚台の横梁（１２）とシート本体（５０）の横梁（５１）とが直交する位置になってもこれらの横梁（５１、１２）同士が面で接触する状態が維持され、回転途中でもシート本体（５０）が安定に支持される。
【００１８】
請求項３に係る発明は、前記脚部（１０）の横梁（１２）と前記シート本体（５０）の横梁（５１）とを同一部材で構成した
ことを特徴とする請求項２に記載の腰掛である。
【００１９】
上記発明によれば、脚部（１０）の横梁（１２）を製作するための資材とシート本体（５０）の横梁（５１）を構成する資材との共通化が可能になる。
【００２０】
請求項４に係る発明は、座部の枠を横梁（５１）に直接取り付けた
ことを特徴とする請求項１、２または３に記載の腰掛である。
【００２１】
上記発明によれば、ブラケット等を介さずに座部を横梁（５１）に直接取り付ける。この場合、横梁（５１）の上部に周壁の平面部分が位置するようにするとよい。座部の取り付けは、横梁（５１）の上に座部を置いてリベット等で締結するだけで済む。なお、座部として、ウレタンなどのクッション材を底から座パンで支えるような構成のものではなく、座のフレームに布などのシート状部材を張った構造のものを用いると、軽量化や取り付け性の点で好ましい。
【００２２】
請求項５に係る発明は、１つの部品を前記横梁（５１）の周壁面の２つの面に面接触させて取り付けた
ことを特徴とする請求項１、２、３または４に記載の腰掛である。
【００２３】
上記発明によれば、横梁（５１）が多数の周壁面を有するので、１つの部品を２面で取り付けることが可能になる。２面での取り付けにより、さらに安定な取り付けが可能になる。なお、１つの部品を２面で取り付けることには、異なる面にそれぞれ取り付けた２つのブラケットで１つの部品を支持するような場合も含まれる。
【発明の効果】
【００２４】
本発明に係る腰掛によれば、断面多角形の１本の横梁を設け、その周壁面にシートを構成する各種部品を面接触で取り付けるので、横梁に各種部品を安定に取り付けることができる。その結果、座部の前端を支えるためのワイヤやこのワイヤを支えるための前後に延びるフレーム等が不要になり、構造が単純化して部品点数や組み立て工数が削減されるとともに、腰掛が軽量化される。また、モノスパン構造の採用により、丸や角のチューブを溶接して枠を構成する必要がなくなり、溶接箇所が削減された。
【００２５】
また、断面多角形の横梁が有する周壁の平面部分に軸や軸受けを直接取り付けることが可能になり、回転盤を取り付けるための取付板などの部品が不要になった。
【００２６】
軸を軸受けに嵌入すると、脚台の横梁とシート本体の横梁とが面同士で向かい合うようにしたものでは、シート本体を回転させて脚台の横梁とシート本体の横梁とが直交する位置関係になってもこれらの横梁同士が面で接触する状態を維持することができ、回転途中でもシート本体を安定に支えることができる。
【００２７】
シート本体の横梁と脚台の横梁とを同一部材で構成したものでは、これらを製作する際の資材が共通化されて製造コストの引き下げが可能になる。
【００２８】
座部を横梁に直接取り付けたものでは、座部の取り付けにブラケット等が不要になり、部品点数や組み立て工数等を低減することができる。
【００２９】
横梁の周壁のうち２面を利用して１つの部品を横梁に取り付けるものでは、より安定に部品を横梁に固定することができる。
【発明を実施するための最良の形態】
【００３０】
以下、図面に基づき本発明の実施の形態を説明する。
【００３１】
図１は、本実施の形態に係る腰掛５のフレーム構造を示している。腰掛５は、列車に搭載される鉄道車両用のシートであり、３人掛けのベンチシートになっている。腰掛５は、床面に設置される脚台１０と、この脚台１０に旋回可能に支持されるシート本体とから構成される。図では、シート本体についてはそのフレームをなす台枠５０を示してある。また、３人掛けのうちの中央の座部の記載は省略してある。
【００３２】
図２は台枠５０の上面を、図３は台枠５０の正面を、図４は台枠５０の右側面を、図５は右端の肘掛を取り去った状態における台枠５０の右側面をそれぞれ示している。また図６は脚台１０の正面を、図７は脚台１０の上面を、図８は図７のＡ−Ａ断面をそれぞれ示している。
【００３３】
台枠５０は、断面三角形をなす中空の横梁５１と、横梁５１に取り付けられる各種の部品とから構成される。横梁５１は、押出型材のモノスパンで構成されている。横梁５１は３つの周壁面のうちの１つが真下を向くようにして使用される。真下を向く下面部の中央には横梁５１を旋回可能に支持するための軸受け５９が形成されている。
【００３４】
図２に示すように、横梁５１に取り付けられる部品には、座部フレーム５２や肘掛フレーム５３などがある。また、横梁５１の左右両端には、図２や図３に示すようにエンド用の肘掛５４が取り付けられる。エンド用の肘掛５４は下部の取り付け部分が横梁５１の端部から横梁５１の中に嵌入されている。
【００３５】
座部フレーム５２は、角材を略コの字に折り曲げた形状をなしている。座部は、ウレタンなどのクッション材を底側から座パンで支えるという構成のものではなく、座部フレーム５２にシート地を張るだけの構成になっている。これにより座部が軽量化される。図１や図２に示すように、座部フレーム５２の後端には、背もたれフレーム５５が取り付けられている。
【００３６】
図１や図５に示すように、座部フレーム５２は左右それぞれ２本のブラケット５６を介して横梁５１に取り付けられている。図１に示すようにブラケット５６は、取付板５７とこの取付板５７の右端部または左端部から垂直に延びる支持腕５８とから構成されている。支持腕５８の先端は溶接やリベットで予め座部フレーム５２に取り付けられている。また取付板５７は横梁５１の周壁面に面接触させてリベットで締結されて固定される。
【００３７】
このように面接触した状態でブラケット５６が横梁５１に固定されるので、ブラケット５６をしっかりと安定させて横梁５１に取り付けることができる。さらに横梁５１の異なる２つの周壁面にそれぞれ取り付けたブラケット５６を介して座部フレーム５２を取り付けるので、座部フレーム５２が強固かつ安定に固定される。
【００３８】
また、ブラケット５６を取り付けた座部フレーム５２を横梁５１の上に載置することで前後方向や取り付け角の位置決めが自ずとなされ、位置出しに係る作業が容易になる。すなわち、横梁５１の上に座部フレーム５２を載せて左右の位置合わせをしてリベットで締結するだけで座部フレーム５２の取り付け作業が完了する。
【００３９】
図９は、肘掛フレーム５３の横梁５１への取り付け部分を拡大視したものである。肘掛フレーム５３は取付板６１とこの取付板６１から立設されたアーム部６２とから構成されている。取付板６１は横梁５１の１つの周壁面に面接触させた状態でリベット６３により横梁５１に締結して固定される。
【００４０】
図１および図６から図８に示すように脚台１０は、床面に設置される脚柱１１と、この脚柱１１によって水平に支持される断面三角形で中空の横梁１２とを有するモノスパン構造をなしている。横梁１２は、横梁５１と同じ押出型材から作成されている。また横梁１２は３つの周壁面のうちの１つが真上を向くようにして脚柱１１に支持される。真上を向く上面部には横梁５１の下面部に設けた軸受け５９と対をなし、軸受け５９に嵌入される軸１３が設けてある。
【００４１】
図７に示すように横梁１２の一端部には、台枠５０の旋回をロックするロック機構１４と、このロック機構１４によるロックを解除する操作ペダル１５とが設けてある。
【００４２】
図１の矢印で示すように、脚台１０の横梁１２の上面部に設けた軸１３に台枠５０の横梁５１の下面部に設けた軸受け５９を嵌入して、脚台１０と台枠５０とを組み合わせるようになっている。
【００４３】
脚台１０や台枠５０の横梁１２、５１は断面円形ではなく断面三角形（多角形）をなしているので周壁が複数の平面で構成される。そして、その１つの平面を利用することで軸や軸受けを横梁５１、１２に取付板などを用いることなく直接取り付けることが可能になっている。
【００４４】
また、脚台１０の横梁１２と台枠５０の横梁５１とを共通の押出型材から製作するので、資材が共通化されて製品コストが低減される。
【００４５】
さらに、台枠５０が旋回する過程で脚台１０の横梁１２と台枠５０の横梁５１とが直交する状態になっても、互いが面で接触するので、台枠５０の横梁５１を脚台１０の横梁１２で安定に支持することができる。すなわち、断面円形の横梁を用いた場合には上下の横梁が直交するとこれらが点で接触する状態になって安定に支持できないが、本実施の形態に係る腰掛５ではそのような事態が回避される。
【００４６】
以上、本発明の実施の形態を図面によって説明してきたが、具体的な構成は実施の形態に示したものに限られるものではなく、本発明の要旨を逸脱しない範囲における変更や追加があっても本発明に含まれる。
【００４７】
たとえば、脚台１０の横梁１２や台枠５０の横梁５１を断面三角形の押出型材で構成したが、断面は多角形であればよく、角数は問わない。たとえば、図１０に示すように、四角形の横梁７１を使用して真上が平面になるようにすれば、ブラケット５６を用いることなく横梁７１に座部フレーム５２を直接載せてリベット等で締結して固定することが可能になる。座面を若干傾ける場合には、上面が希望の角度に傾きかつ下面が水平になるような多角形の断面形状を持つ横梁を使用すればよい。
【００４８】
なお、脚台１０の横梁１２や台枠５０の横梁５１は、共通の押出型材から製作されるものに限定されない。また、素材は押出型材に限らず他の方法で製造されたものであってもよい。
【００４９】
このほか実施の形態では、鉄道車両用の腰掛を例に説明したが、他の用途の腰掛であってもよい。たとえば、駅や競技場などに設置するベンチシートなどでもかまわない。また、シートは旋回しなくてもよい。たとえば、台枠５０の横梁５１を床面から脚柱で直接支持するように構成してもよい。
【図面の簡単な説明】
【００５０】
【図１】本発明の実施の形態に係る腰掛のフレーム構造を示す説明図である。
【図２】本発明の実施の形態に係る腰掛の台枠を示す上面図である。
【図３】本発明の実施の形態に係る腰掛の台枠を示す正面図である。
【図４】本発明の実施の形態に係る腰掛の台枠を示す右側面図である。
【図５】右端の肘掛を取り去った状態における台枠の右側面を示す説明図である。
【図６】本発明の実施の形態に係る腰掛の脚台を示す正面図である。
【図７】本発明の実施の形態に係る腰掛の脚台を示す上面図である。
【図８】脚台の図７におけるＡ−Ａ断面図である。
【図９】横梁への肘掛フレームの取り付け状態を示す説明図である。
【図１０】断面四角形の横梁に座部フレームを取り付けた状態の一例を示す説明図である。
【図１１】従来から使用されている鉄道車両用腰掛のフレーム構造の一例を示す説明図である。
【図１２】従来から使用されている鉄道車両用腰掛の脚台の一例を示す上面図である。
【図１３】従来から使用されている鉄道車両用腰掛の脚台の一例を示す正面図である。
【図１４】従来から使用されている鉄道車両用腰掛の台枠の一例を示す正面図である。
【図１５】従来から使用されている鉄道車両用腰掛の台枠の一例を示す上面図である。
【符号の説明】
【００５１】
５…腰掛
１０…脚台
１１…脚柱
１２…横梁
１３…軸
１４…ロック機構
１５…操作ペダル
５０…台枠
５１…横梁
５２…座部フレーム
５３…肘掛フレーム
５４…エンド用の肘掛
５５…背もたれフレーム
５６…ブラケット
５７…取付板
５８…支持腕
５９…軸受け
６１…取付板
６２…アーム部
６３…リベット
７１…四角形の横梁
【図１】
2005329103.tif 000003
【図２】
2005329103.tif 000004
【図３】
2005329103.tif 000005
【図４】
2005329103.tif 000006
【図５】
2005329103.tif 000007
【図６】
2005329103.tif 000008
【図７】
2005329103.tif 000009
【図８】
2005329103.tif 000010
【図９】
2005329103.tif 000011
【図１０】
2005329103.tif 000012
【図１１】
2005329103.tif 000013
【図１２】
2005329103.tif 000014
【図１３】
2005329103.tif 000015
【図１４】
2005329103.tif 000016
【図１５】
2005329103.tif 000017